(57)【要約】【課題】筆記具、ＩＣカード、携帯端末等の日常よく出し入れをするものや、眼鏡及び指輪等の装身具等を収容する小物入れに好適であり、保形性が高く一体感のあるデザインであり、胸ポケットから取り出した状態で小物入れとして使用する際にもデザイン性のある商品価値の高い小物入れとして受け入れられるものであり、製造コストが増大することがない、ポケットチーフを兼ねた小物入れを提供する。【解決手段】衣類の胸ポケットに収容可能な、ポケットチーフを兼ねた小物入れ１であって、二重織り生地である、前記胸ポケットに収容した状態で前記胸ポケットから上方へ突出する正面装飾部Ａを含む正面生地材２、及び正面生地材２の下端縁Ｇから折り曲げられて正面生地材２の背面に添う背面生地材３からなり、正面生地材２及び背面生地材３の左端部同士及び右端部同士を連結して上面開口Ｂが形成されたことを特徴とする。【選択図】図４
2016036571.tif 000002
【特許請求の範囲】
【請求項１】
衣類の胸ポケットに収容可能な、ポケットチーフを兼ねた小物入れであって、
二重織り生地である、前記胸ポケットに収容した状態で前記胸ポケットから上方へ突出する正面装飾部を含む正面生地材、及び前記正面生地材の下端縁から折り曲げられて前記正面生地材の背面に添う背面生地材からなり、前記正面生地材及び前記背面生地材の左端部同士及び右端部同士を連結して上面開口が形成されたことを特徴とするポケットチーフを兼ねた小物入れ。
【請求項２】
衣類の胸ポケットに収容可能な、ポケットチーフを兼ねた小物入れであって、
二重織り生地である、前記胸ポケットに収容した状態で前記胸ポケットから上方へ突出する正面装飾部を含む正面生地材、及び前記正面生地材の背面に添う背面生地材からなり、前記正面生地材及び前記背面生地材の下端部同士並びに左端部同士及び右端部同士を連結して上面開口が形成されたことを特徴とするポケットチーフを兼ねた小物入れ。
【請求項３】
前記背面生地材の二重織り生地の表面及び裏面を繋げずに袋織りした部分を設け、前記袋織りした部分の二重織り生地の表面に左右方向のスリットを形成することにより裏ポケットを形成してなる請求項１又は２記載のポケットチーフを兼ねた小物入れ。
【請求項４】
前記正面装飾部の下側の前記正面生地材の二重織り生地の表面及び裏面を繋げずに袋織りした部分を設けることにより左右方向に長い挿入空間を形成し、前記挿入空間内に、曲げ変形させた形状を保持できる、帯状又は棒状の形状保持部材を挿入してなる請求項１〜３の何れか１項に記載のポケットチーフを兼ねた小物入れ。
【請求項５】
衣類の胸ポケットに収容可能な、ポケットチーフを兼ねた小物入れの製造方法であって、
二重織り生地である、前記胸ポケットに収容した状態で前記胸ポケットから上方へ突出する正面装飾部を含む正面生地材、及び完成状態で前記正面生地材の背面に添う背面生地材を、一体で上下に繋げた形態として、前記正面生地材及び前記背面生地材を繋げた長さよりも長辺が長い矩形状の矩形生地材を、ジャカード搭載の広巾織機により製造する二重織り工程と、
前記正面生地材及び前記背面生地材を繋げた外形になるように前記矩形生地材を切断する切断工程と、
前記正面生地材及び前記背面生地材の二重織り生地の表面同士を添わせるように、前記正面生地材の下端縁から前記背面生地材を折り曲げる折曲げ工程と、
前記正面生地材及び前記背面生地材の左端部同士及び右端部同士を縫着又は接着する連結工程と、
前記正面生地材及び前記背面生地材の二重織り生地の裏面同士を添わせるように裏返す裏返し工程と、
を有することを特徴とするポケットチーフを兼ねた小物入れの製造方法。
【請求項６】
衣類の胸ポケットに収容可能な、ポケットチーフを兼ねた小物入れの製造方法であって、
二重織り生地である、前記胸ポケットに収容した状態で前記胸ポケットから上方へ突出する正面装飾部を含む正面生地材、及び完成状態で前記正面生地材の背面に添う背面生地材を、別体として、前記正面生地材よりも長辺が長い矩形状の第１矩形生地材、及び前記背面生地材よりも長辺が長い矩形状の第２矩形生地材を、ジャカード搭載の広巾織機により製造する二重織り工程と、
前記正面生地材の外形になるように前記第１矩形生地材を切断し、前記裏面生地材の外形になるように前記第２矩形生地材を切断する切断工程と、
前記正面生地材及び前記背面生地材の二重織り生地の表面同士を添わせるように重ね合わせる重合せ工程と、
前記正面生地材及び前記背面生地材の下端部同士並びに左端部同士及び右端部同士を縫着又は接着する連結工程と、
前記正面生地材及び前記背面生地材の二重織り生地の裏面同士を添わせるように裏返す裏返し工程と、
を有することを特徴とするポケットチーフを兼ねた小物入れの製造方法。
【請求項７】
前記二重織り工程において、前記矩形生地材の前記背面生地材になる部分、又は前記第２矩形生地材の二重織り生地の表面及び裏面を繋げずに袋織りした部分を設け、
前記切断工程において、前記袋織りした部分の二重織り生地の表面に左右方向のスリットを形成することにより裏ポケットを形成してなる請求項５又は６記載のポケットチーフを兼ねた小物入れの製造方法。
【請求項８】
前記二重織り工程において、前記矩形生地材の前記正面生地材になる部分、又は前記第１矩形生地材の前記正面装飾部の下側の二重織り生地の表面及び裏面を繋げずに袋織りした部分を設けることにより左右方向に長い挿入空間を形成してなり、
前記二重織り工程の後で前記連結工程よりも前に、前記挿入空間内に、曲げ変形させた形状を保持できる、帯状又は棒状の形状保持部材を挿入する形状保持部材挿入工程を有する請求項５〜７の何れか１項に記載のポケットチーフを兼ねた小物入れの製造方法。
【発明の詳細な説明】
【技術分野】
【０００１】
本発明は、携行する小物入れにポケットチーフの機能を備えたポケットチーフを兼ねた小物入れに関わり、さらに詳しくは、デザイン性が高く、ポケットから取り出してもそのまま違和感なく使用できる、実用性の高いポケットチーフを兼ねた小物入れに関する。
【背景技術】
【０００２】
スーツ等の胸ポケットに装飾として施されるポケットチーフに収納物を収納できるようにしたポケットチーフを兼ねた小物入れとして、ポケットチーフ（１）を保持する台紙（２）の前側にセロハン袋（３）を取り付けて名刺や名札等を入れるもの（特許文献１参照）、ポケットチーフ（１）にルーペ保持部（２）を取り付けてルーペ（Ａ）を保持するもの（特許文献２参照）、ポケットチーフのポケットに入る部分を袋部（２）にして眼鏡を収納するもの（特許文献３参照）、２つのポケットチーフ（折り畳み布体（７，７））が両側辺に対向して取り付けられた保持板（２）に収納ポケット（１２）を設けて、名刺、写真、メモ帳、氏名住所電話番号帳又は紙幣等の小間物（１３）を収納するもの（特許文献４の図２参照）、外観はハンカチそのものの袋状のもの（５２）に携帯電話機（５３）等を収納するもの（特許文献５の図１参照）、装飾用のハンカチ・アタッチメント部（８３，８９）の下方に袋本体（８２）を取り付けて袋本体（８２）に携帯電話機（５３）等を収納するもの（特許文献５の図４及び図５参照）等がある。
【先行技術文献】
【特許文献】
【０００３】
【特許文献１】実開平３−４５９０７号公報
【特許文献２】実開平３−４５９０８号公報
【特許文献３】実開平４−４０８１８号公報
【特許文献４】登録実用新案第３０７２２２９号公報
【特許文献５】特開２００１−１１７０３号公報
【発明の概要】
【発明が解決しようとする課題】
【０００４】
２００５年にクールビズが提唱されてから、クールビズ期間（例えば平成２６年は５月１日から１０月３１日）はスーツの上着やジャケットを着用しないことが多くなっており、その場合には比較的容量の大きい前記上着等のポケットの収納スペースを利用することができない。
その上、スリムなズボン（トラウザーズ、スラックス、パンツ）の流行により、ズボンのポケットに収納できる容量が小さくなっている。
よって、シャツの胸ポケットに、万年筆やボールペン等の筆記具、ＩＣキャッシュカードやＩＣカード乗車券等のＩＣカード、スマートフォンやＰＤＡ（Personal Digital Assistant）等の携帯端末等の日常よく出し入れをするもの、又は、時計、眼鏡及び指輪等の装身具を収納することが多くなっている。
また、現在ではノーネクタイのクールビズ・スタイルが浸透しており、クールビズ・スタイルで、シャツの胸ポケット、又はスーツの上着やジャケットの胸ポケットにポケットチーフを入れることにより、カジュアル度を抑えることができるため、ポケットチーフに対する注目度が高まっている。
【０００５】
以上のような現状において、特許文献１〜５のポケットチーフを兼ねた小物入れでは、胸ポケットに装飾として施されるポケットチーフによりクールビズ・スタイルで胸元が引き締まるので、仕事相手や顧客に好印象を与えることができる。
しかしながら、特許文献１〜３のポケットチーフを兼ねた小物入れは、収納物が、特許文献１では名刺や名札等、特許文献２ではルーペ、特許文献３では眼鏡に限定されるので、前記収納物を収納する部分の形態とも相俟って、筆記具、ＩＣカード、携帯端末等の日常よく出し入れをするものや、時計、眼鏡及び指輪等の装身具等の収納には適さない。
また、特許文献４のポケットチーフを兼ねた小物入れは、保持板の一面に設けた収納ポケット内に収納物を収納するので、ＩＣカード程度の小形で薄い収納物の収納に限定される。
これらに対して、特許文献５のポケットチーフを兼ねた小物入れでは、図１の構成では外観はハンカチそのものの袋状のものに収納物を収納し、図４及び図５の構成では袋本体に収納物を収納するので、収納できる容量が比較的大きくなるため、携帯電話機や小型コンピュータ、ラジオ等の名刺やＩＣカードよりも大きく厚い収納物を収納できる。
しかしながら、特許文献５の構成では、収納物を収納するスペースが１箇所のみであるので、前記名刺やＩＣカードよりも大きく厚い収納物と、前記名刺やＩＣカード程度の小形で薄い収納物とを、仕分けした状態で収納することができない。
【０００６】
ここで、特許文献５には、二重構造の生地、すなわち表地としてポリエステル１００パーセントの布地のようにしわになりにくいハンカチの素材を、裏地として綿１００パーセントの布地のように吸湿性に富んだ素材を使用する旨の記載がある。
しかしながら、このような二重構造の生地を用いると、それにより保形性が高まるとともに、汗を吸収して収納物を保護でき、洗濯を繰り返してもアイロンがけを頻繁に行う必要がないという利点を有する反面、独立した２枚の布を縫い合わせるという工程が必要なため、製造コストが増大するという問題点がある。その上、保形性を高めることにより変形しにくくなるため、胸ポケットから上方へ突出する部分の形態を使用者の好みに合わせて立体的にアレンジすることができない。
また、特許文献１〜５のポケットチーフを兼ねた小物入れの何れも、胸ポケットに入れた状態での使用のみを念頭においているものであるので、胸ポケットから取り出した状態で小物入れとして使用する際には、全体の形態から違和感があること等により、デザイン性のある商品価値の高い小物入れとして受け入れられるものではない。
【０００７】
そこで本発明が前述の状況に鑑み、解決しようとするところは、筆記具、ＩＣカード、携帯端末等の日常よく出し入れをするものや、時計、眼鏡及び指輪等の装身具等を収容する小物入れに好適であり、前記ＩＣカード等よりも大きく厚い収納物と、前記ＩＣカード程度の小形で薄い収納物とを、仕分けした状態で収納することができ、保形性が高く一体感のあるデザインでありながら、胸ポケットから上方へ突出する部分の形態を使用者の好みに合わせて立体的にアレンジすることができ、胸ポケットから取り出した状態で小物入れとして使用する際に、デザイン性のある商品価値の高い小物入れとして受け入れられるものであるとともに、製造コストが増大することがない、ポケットチーフを兼ねた小物入れ及びその製造方法を提供する点にある。
【課題を解決するための手段】
【０００８】
本発明に係るポケットチーフを兼ねた小物入れは、前記課題解決のために、衣類の胸ポケットに収容可能な、ポケットチーフを兼ねた小物入れであって、二重織り生地である、前記胸ポケットに収容した状態で前記胸ポケットから上方へ突出する正面装飾部を含む正面生地材、及び前記正面生地材の下端縁から折り曲げられて前記正面生地材の背面に添う背面生地材からなり、前記正面生地材及び前記背面生地材の左端部同士及び右端部同士を連結して上面開口が形成されたことを特徴とする（請求項１）。
【０００９】
また、本発明に係るポケットチーフを兼ねた小物入れは、前記課題解決のために、衣類の胸ポケットに収容可能な、ポケットチーフを兼ねた小物入れであって、二重織り生地である、前記胸ポケットに収容した状態で前記胸ポケットから上方へ突出する正面装飾部を含む正面生地材、及び前記正面生地材の背面に添う背面生地材からなり、前記正面生地材及び前記背面生地材の下端部同士並びに左端部同士及び右端部同士を連結して上面開口が形成されたことを特徴とする（請求項２）。
【００１０】
これらのような構成によれば、二重織り生地で製造されているので保形性が高く、強度及び高級感に優れるとともに、正面装飾部を含む正面生地材及び背面生地材により上面開口を有する袋状に形成されているので、収納できる容量が大きくなるとともに、簡素で一体感のある飽きの来ない全体の形態が得られる。
よって、収納できる容量が大きいため、ＩＣカード、携帯端末等の日常よく出し入れをするものや、時計、眼鏡及び指輪等の装身具等を収容する小物入れとして好適に使用できる。
その上、全体の形態が簡素で一体感のある飽きの来ないものであるため、胸ポケットから取り出した状態で小物入れとして使用する際にも違和感がなく、デザイン性のある商品価値の高い小物入れとして使用できる。
その上さらに、二重織り生地で製造されているので、独立した２枚の布を縫い合わせて二重にする工程が不要なため、製造コストが増大しない。
【００１１】
ここで、前記背面生地材の二重織り生地の表面及び裏面を繋げずに袋織りした部分を設け、前記袋織りした部分の二重織り生地の表面に左右方向のスリットを形成することにより裏ポケットを形成してなると好ましい（請求項３）。
このような構成によれば、裏ポケットに名刺やＩＣカード程度の小形で薄い収納物を収納し、上面開口から名刺やＩＣカードよりも大きく厚い収納物（例えば、筆記具やスマートフォン等）を収納できるので、このように前記収納物を仕分けた状態での収納により、前記小形で薄い収納物及び前記大きく厚い収納物が擦れて損傷することがなくなるとともに、名刺やＩＣカード等の取出しが容易になる。
その上、二重織り生地で製造されているので、二重織りをする工程において、背面生地材の二重織り生地の表面及び裏面を繋げずに袋織りした部分を設けることが容易であるため、裏ポケットを形成しても製造コストが増大しない。
【００１２】
また、前記正面装飾部の下側の前記正面生地材の二重織り生地の表面及び裏面を繋げずに袋織りした部分を設けることにより左右方向に長い挿入空間を形成し、前記挿入空間内に、曲げ変形させた形状を保持できる、帯状又は棒状の形状保持部材を挿入してなるとさらに好ましい（請求項４）。
このような構成によれば、左右方向に長い挿入空間に入れた帯状又は棒状の形状保持部材の形状を変更することにより、正面装飾部の形態を使用者の好みに合わせて立体的にアレンジすることができるので、正面装飾部のデザインのバリエーションが増えて使用価値が高まるとともに見栄えが良くなる。
その上、二重織り生地で製造されているので、二重織りをする工程において、正面装飾部の下側の正面生地材の二重織り生地の表面及び裏面を繋げずに袋織りした部分を設けることが容易であるため、左右方向に長い挿入空間を形成して形状保持部材を挿入しても製造コストが増大しない。
【００１３】
本発明に係るポケットチーフを兼ねた小物入れの製造方法は、前記課題解決のために、衣類の胸ポケットに収容可能な、ポケットチーフを兼ねた小物入れの製造方法であって、二重織り生地である、前記胸ポケットに収容した状態で前記胸ポケットから上方へ突出する正面装飾部を含む正面生地材、及び完成状態で前記正面生地材の背面に添う背面生地材を、一体で上下に繋げた形態として、前記正面生地材及び前記背面生地材を繋げた長さよりも長辺が長い矩形状の矩形生地材を、ジャカード搭載の広巾織機により製造する二重織り工程と、前記正面生地材及び前記背面生地材を繋げた外形になるように前記矩形生地材を切断する切断工程と、前記正面生地材及び前記背面生地材の二重織り生地の表面同士を添わせるように、前記正面生地材の下端縁から前記背面生地材を折り曲げる折曲げ工程と、前記正面生地材及び前記背面生地材の左端部同士及び右端部同士を縫着又は接着する連結工程と、前記正面生地材及び前記背面生地材の二重織り生地の裏面同士を添わせるように裏返す裏返し工程とを有することを特徴とする（請求項５）。
【００１４】
また、本発明に係るポケットチーフを兼ねた小物入れの製造方法は、前記課題解決のために、衣類の胸ポケットに収容可能な、ポケットチーフを兼ねた小物入れの製造方法であって、二重織り生地である、前記胸ポケットに収容した状態で前記胸ポケットから上方へ突出する正面装飾部を含む正面生地材、及び完成状態で前記正面生地材の背面に添う背面生地材を、別体として、前記正面生地材よりも長辺が長い矩形状の第１矩形生地材、及び前記背面生地材よりも長辺が長い矩形状の第２矩形生地材を、ジャカード搭載の広巾織機により製造する二重織り工程と、前記正面生地材の外形になるように前記第１矩形生地材を切断し、前記裏面生地材の外形になるように前記第２矩形生地材を切断する切断工程と、前記正面生地材及び前記背面生地材の二重織り生地の表面同士を添わせるように重ね合わせる重合せ工程と、前記正面生地材及び前記背面生地材の下端部同士並びに左端部同士及び右端部同士を縫着又は接着する連結工程と、前記正面生地材及び前記背面生地材の二重織り生地の裏面同士を添わせるように裏返す裏返し工程とを有することを特徴とする（請求項６）。
【００１５】
これらの製造方法によれば、二重織り工程で、ジャカード搭載の広巾織機により、正面生地材及び背面生地材を一体で上下に繋げた形態として正面生地材及び背面生地材になる矩形生地材を、正面生地材及び背面生地材を別体として正面生地材になる第１矩形生地材及び背面生地材になる第２矩形生地材を製造するので、正面生地材及び背面生地材になる矩形生地材、又は正面生地材になる第１矩形生地材及び背面生地材になる第２矩形生地材に様々な模様を付けながら容易に製造することができる。
その上、ジャカード搭載の広巾織機により、二重織り生地である正面生地材及び背面生地材になる、前記矩形生地材、又は前記第１矩形生地材及び前記第２矩形生地材を製造するので、別々に製造された独立した２枚の布を縫い合わせて二重にする工程が不要なため、製造コストが増大しない。
その上さらに、二重織り工程後に、切断工程、折曲げ工程又は重合せ工程、及び縫着若しくは接着により袋状にする連結工程を行った後、裏返し工程を行えば商品が完成するので、製造コストの上昇を抑制できる。
その上、縫着又は接着により袋状にする連結工程を行った後、裏返し工程を行うので、縫着・接着面が視認されないためデザイン性に優れるとともに、胸ポケットに収容するために大きさの制限がある小物入れの収納物を収納する空間がより大きくなる。
【００１６】
その上さらに、製造された商品は、二重織り生地で製造されているので保形性が高く、強度及び高級感に優れるとともに、正面装飾部を含む正面生地材及び背面生地材により上面開口を有する袋状に形成されているので、収納できる容量が大きくなるとともに、簡素で一体感のある飽きの来ない全体の形態が得られる。
よって、収納できる容量が大きいため、ＩＣカード、携帯端末等の日常よく出し入れをするものや、時計、眼鏡及び指輪等の装身具等を収容する小物入れとして好適に使用できる。
その上、全体の形態が簡素で一体感のある飽きの来ないものであるため、胸ポケットから取り出した状態で小物入れとして使用する際にも違和感がなく、デザイン性のある商品価値の高い小物入れとして使用できる。
【００１７】
ここで、前記二重織り工程において、前記矩形生地材の前記背面生地材になる部分、又は前記第２矩形生地材の二重織り生地の表面及び裏面を繋げずに袋織りした部分を設け、前記切断工程において、前記袋織りした部分の二重織り生地の表面に左右方向のスリットを形成することにより裏ポケットを形成してなると好ましい（請求項７）。
このような製造方法によれば、ジャカード搭載の広巾織機により正面生地材及び背面生地材になる、前記矩形生地材、又は前記第１矩形生地材及び前記第２矩形生地材を製造する二重織り工程で、ジャカード搭載の広巾織機により、前記矩形生地材の前記背面生地材になる部分、又は前記第２矩形生地材の二重織り生地の表面及び裏面を繋げずに袋織りした部分を設けることが容易であるため、裏ポケットを形成しても製造コストが増大しない。
その上、製造された商品は、裏ポケットに名刺やＩＣカード程度の小形で薄い収納物を収納し、上面開口から名刺やＩＣカードよりも大きく厚い収納物（例えば、筆記具やスマートフォン等）を収納できるので、このように前記収納物を仕分けた状態での収納により、前記小形で薄い収納物及び前記大きく厚い収納物が擦れて損傷することがなくなるとともに、名刺やＩＣカード等の取出しが容易になる。
【００１８】
また、前記二重織り工程において、前記矩形生地材の前記正面生地材になる部分、又は前記第１矩形生地材の前記正面装飾部の下側の二重織り生地の表面及び裏面を繋げずに袋織りした部分を設けることにより左右方向に長い挿入空間を形成してなり、前記二重織り工程の後で前記連結工程よりも前に、前記挿入空間内に、曲げ変形させた形状を保持できる、帯状又は棒状の形状保持部材を挿入する形状保持部材挿入工程を有するとさらに好ましい（請求項８）。
このような製造方法によれば、ジャカード搭載の広巾織機により正面生地材及び背面生地材になる、前記矩形生地材、又は前記第１矩形生地材及び前記第２矩形生地材を製造する二重織り工程で、ジャカード搭載の広巾織機により、前記矩形生地材の前記正面生地材になる部分、又は前記第１矩形生地材の前記正面装飾部の下側の二重織り生地の表面及び裏面を繋げずに袋織りした部分を設けることが容易であるため、左右方向に長い挿入空間を形成しても製造コストが上昇しない。
その上、形状保持部材挿入工程により、二重織り工程の後で連結工程よりも前に、帯状又は棒状の形状保持部材を左右方向に長い挿入空間内に容易に挿入できるので、製造コストが増大しない。
その上さらに、製造された商品は、前記形状保持部材の形状を変更することにより、正面装飾部の形態を使用者の好みに合わせて立体的にアレンジすることができるので、正面装飾部のデザインのバリエーションが増えて使用価値が高まるとともに見栄えが良くなる。
【発明の効果】
【００１９】
以上のように、本発明に係るポケットチーフを兼ねた小物入れ及びその製造方法によれば、
（１）二重織り生地で製造されているので保形性が高く、強度及び高級感に優れるとともに、正面装飾部を含む正面生地材及び背面生地材により上面開口を有する袋状に形成されているので、収納できる容量が大きくなるとともに、簡素で一体感のある飽きの来ない全体の形態が得られること、
（２）収納できる容量が大きいため、ＩＣカード、携帯端末等の日常よく出し入れをするものや、時計、眼鏡及び指輪等の装身具等を収容する小物入れとして好適に使用できること、
（３）全体の形態が簡素で一体感のある飽きの来ないものであるため、胸ポケットから取り出した状態で小物入れとして使用する際にも違和感がなく、デザイン性のある商品価値の高い小物入れとして使用できること、
（４）二重織り生地で製造されているので、独立した２枚の布を縫い合わせて二重にする工程が不要なため、製造コストが増大しないこと、
等の作用効果を奏する。
【００２０】
また、背面生地材に裏ポケットを形成したものでは、
（５）裏ポケットに名刺やＩＣカード程度の小形で薄い収納物を収納し、上面開口から名刺やＩＣカードよりも大きく厚い収納物（例えば、筆記具やスマートフォン等）を収納できるので、このように前記収納物を仕分けた状態での収納により、前記小形で薄い収納物及び前記大きく厚い収納物が擦れて損傷することがなくなるとともに、名刺やＩＣカード等の取出しが容易になること、
（６）二重織り生地で製造されているので、二重織りをする工程において、背面生地材の二重織り生地の表面及び裏面を繋げずに袋織りした部分を設けることが容易であるため、裏ポケットを形成しても製造コストが増大しないこと、
等の作用効果を奏する。
【００２１】
さらに、正面生地材の正面装飾部の下部に左右方向に長い形状保持部材を挿入したものでは、
（７）形状保持部材の形状を変更することにより、正面装飾部の形態を使用者の好みに合わせて立体的にアレンジすることができるので、正面装飾部のデザインのバリエーションが増えて使用価値が高まるとともに見栄えが良くなること、
（８）二重織り生地で製造されているので、二重織りをする工程において、正面装飾部の下側の正面生地材の二重織り生地の表面及び裏面を繋げずに袋織りした部分を設けることが容易であるため、左右方向に長い挿入空間を形成して形状保持部材を挿入しても製造コストが増大しないこと、
等の作用効果を奏する。
【図面の簡単な説明】
【００２２】
【図１】本発明の実施の形態に係るポケットチーフを兼ねた小物入れをジャケットの胸ポケットに入れた状態を示す正面図である。
【図２】同ポケットチーフを兼ねた小物入れの、（ａ）は正面図、（ｂ）は背面図である。
【図３】同ポケットチーフを兼ねた小物入れの縦断右側面図である。
【図４】同ポケットチーフを兼ねた小物入れの、（ａ）は正面側から見た斜視図、（ｂ）は背面側から見た斜視図であり、（ｂ）には筆記具及びＩＣカードを収納した例を示している。
【図５】形状保持部材の形状を変更することにより正面装飾部の形態を立体的にアレンジした例を示す正面側から見た斜視図である。
【図６】二重織り工程において、ジャカード搭載の広巾織機により製造された矩形生地材を示す正面図である。
【図７】矩形生地材を所定形状に切断するとともに、袋織りした部分の二重織り生地の表面に左右方向のスリットを形成する切断工程の例を示しており、（ａ）は正面図、（ｂ）は縦断右側面図である。
【図８】切断工程後の製造工程を示す説明図であり、（ａ）は形状保持部材挿入工程、（ｂ）は形状保持部材挿入工程を完了した状態、（ｃ）は折曲げ工程を行った後に連結工程を完了した状態、（ｄ）は裏返し工程を行って完成したポケットチーフを兼ねた小物入れを示している。
【図９】正面装飾部の形状及び模様の変形例を示す正面図である。
【発明を実施するための形態】
【００２３】
次に本発明の実施の形態を添付図面に基づき詳細に説明するが、本発明は、添付図面に示された形態に限定されず特許請求の範囲に記載の要件を満たす実施形態の全てを含むものである。
なお、本明細書においては、使用者がポケットチーフを兼ねた小物入れを胸ポケットに入れた状態において、使用者の正面側から見た図を正面図とする。
【００２４】
図１の正面図、図２（ａ）の正面図、図２（ｂ）の背面図、図３の縦断右側面図、並びに図４（ａ）及び（ｂ）の斜視図に示すように、本発明の実施の形態に係るポケットチーフを兼ねた小物入れ１は、衣類の胸ポケットＰに収容可能なものであり、二重織り生地である、胸ポケットＰに収容した状態で胸ポケットＰから上方へ突出する正面装飾部Ａを含む正面生地材２、及び正面生地材２の下端縁（折曲げ箇所Ｇ）から折り曲げられて正面生地材２の背面に添う背面生地材３からなり、正面生地材２及び背面生地材３の左端部同士及び右端部同士を連結して上面開口Ｂが形成されたものである。
上面開口Ｂから、小物入れ１内には、図４（ｂ）のような筆記具Ｈ、スマートフォンやＰＤＡ（Personal Digital Assistant）等の携帯端末、眼鏡及び指輪等の装身具等、名刺やＩＣカードよりも大きいか、あるいはＩＣカードよりも厚い収納物を収納できる。
ここで、背面生地材３の上端部には、ネームタグＦが取り付けられている。
ネームタグＦのネームのプリントにシリコンインクを使用することにより、胸ポケットＰからの小物入れ１の滑落や、小物入れ１からの筆記具Ｈ等の収納物の滑落を防止できる。
ネームタグＦに消臭機能に付加すること（例えば、近接空間の悪臭を吸着、中和し、臭気を軽減する無機化合物微粒子と銀成分を特殊な樹脂フィルムに練り込んでネームにした消臭タグにすること）により、胸ポケットＰから取り出して鞄に入れれば鞄の中も消臭できるとともに、衣類と一緒にしまえばクローゼットの中も消臭できる。
【００２５】
また、背面生地材３には、その所定箇所に、二重織り生地の表面３Ａ及び裏面３Ｂを繋げずに袋織りした部分Ｄが設けられ、袋織りした部分Ｄの上端部の二重織り生地の表面３Ａに左右方向のスリット４を形成することにより、裏ポケット５が形成される。
小物入れ１の裏ポケット５内には、スリット４から、図４（ｂ）のようなＩＣカードＩ、名刺等の小形で薄い収納物を収納できる。
さらに、正面装飾部Ａの下側の正面生地材２の二重織り生地の表面２Ａ及び裏面２Ｂを繋げずに袋織りした部分Ｅを設けることにより、左右方向に長い挿入空間６が形成され、挿入空間６内に、曲げ変形させた形状を保持できる、帯状の形状保持部材７が挿入される。
よって、使用者が形状保持部材７を曲げて形状を変更することにより、図５の斜視図に示すように、正面装飾部Ａの形態を使用者の好みに合わせて立体的にアレンジできる。
ここで、形状保持部材７は、ポリエチレン等の合成樹脂製のものであり、大きく曲げ変形させた形状を保持できるものであるとともに、形状を繰り返し変更可能なものである。また、形状保持部材７は、棒状であってもよく、金属製であってもよい。
【００２６】
次に、本発明の実施の形態に係るポケットチーフを兼ねた小物入れ１の製造方法について説明する。
【００２７】
（二重織り工程）
例えばポリエステル、アクリル又はナイロン等の合成繊維からなる糸を織糸として、ジャカード搭載の広巾織機（レピア織機、ウォータージェット織機、エアージェット織機）により、図６の正面図に示すように、正面生地材２及び背面生地材３を、一体で上下に繋げた形態として、正面生地材２及び背面生地材３を繋げた長さよりも長辺が長い矩形状の矩形生地材を、模様（柄）を付けながら製造する二重織り工程を行う。このようなジャカード搭載の広巾織機を用いた二重織り工程により、図６に示す前記矩形生地材毎に裁断しながら、前記矩形生地材を連続して製造する。なお、前記矩形生地材の幅は、正面生地材２及び背面生地材３の最大の幅以上にする。
正面生地材２の二重織り生地の表面２Ａ及び背面生地材３の二重織り生地の表面３Ａになる前記矩形生地材の模様（柄）は、ジャカード搭載の広巾織機により、容易に所望の模様（柄）にすることができる（例えば、変形例として図９（ａ）及び（ｂ）の正面図を参照）。
【００２８】
また、ジャカード搭載の広巾織機を用いることにより、表裏２枚の織物を繋げながら織る際に、任意の箇所に表裏２枚の織物を繋げない部分を作ることができる。
このような特徴を活かして、二重織り工程において、前記矩形生地材の背面生地材３になる部分の二重織り生地の表面３Ａ及び裏面３Ｂを繋げずに袋織りした部分Ｄを形成するとともに、前記矩形生地材の正面生地材２になる部分の正面装飾部Ａの下側の二重織り生地の表面２Ａ及び裏面２Ｂを繋げずに袋織りした部分Ｅを形成する。
【００２９】
（切断工程）
次に、図６の前記矩形生地材を、図７（ａ）の正面図に示すように、正面生地材２及び背面生地材３を繋げた外形になるように前記矩形生地材を、例えばレーザー切断機により切断する切断工程を行う。ここで、正面装飾部Ａの形状は、切断工程により、容易に所望の形状にすることができる（例えば、変形例として図９（ａ）及び（ｂ）の正面図を参照）。
また、切断工程において、図７（ａ）の正面図及び図７（ｂ）の縦断右側面図に示すように、例えばレーザー切断機により、袋織りした部分Ｄの二重織り生地の表面３Ａに左右方向のスリット４を形成することにより裏ポケット５を形成する。
なお、切断工程を行った後に、ネームタグＦを、完成状態で背面生地材３の上端部となる位置に取り付ける。
【００３０】
（形状保持部材挿入工程）
次に、図８（ａ）の説明図に示すように、形状保持材７を、左右方向に長い挿入空間６内に挿入する形状保持部材挿入工程を行う。
なお、形状保持部材挿入工程は、後述する連結工程を行う前に実施しておけばよい。
【００３１】
（折曲げ工程）
次に、図８（ｂ）の説明図の矢印のように、正面生地材２及び背面生地材３の二重織り生地の表面２Ａ，３Ａ同士を添わせて中表にするように、正面生地材２の下端縁（折曲げ箇所Ｇ）から背面生地材３を折り曲げる折曲げ工程を行って、図８（ｃ）の説明図に示す形態にする。
【００３２】
（連結工程）
次に、正面生地材２及び背面生地材３の左端部同士及び右端部同士を縫着して連結する（縫着部Ｃ１，Ｃ２参照）連結工程を行う。
なお、正面生地材２及び背面生地材３の左端部同士及び右端部同士の連結は、縫着ではなく接着により行うようにしてもよい。
【００３３】
（裏返し工程）
次に、図８（ｃ）の説明図の矢印のように、正面生地材２及び背面生地材３の二重織り生地の裏面２Ｂ，３Ｂ同士を添わせるように裏返す裏返し工程を行って、図８（ｄ）の説明図に示す形態にすることにより、本発明の実施の形態に係るポケットチーフを兼ねた小物入れ１が完成する。
【００３４】
以上の説明においては、二重織り工程により、ジャカード搭載の広巾織機を用いて、正面生地材２及び背面生地材３を、一体で上下に繋げた形態として、正面生地材２及び背面生地材３を繋げた長さよりも長辺が長い矩形状の矩形生地材を製造する例を示したが、二重織り工程により、ジャカード搭載の広巾織機を用いて、正面生地材２及び背面生地材３を別体として、正面生地材２よりも長辺が長い矩形状の第１矩形生地材、及び背面生地材３よりも長辺が長い矩形状の第２矩形生地材を製造するようにしてもよい。
このように二重織り工程で第１矩形生地材及び第２矩形生地材を製造する場合は、切断工程において、正面生地材２の外形になるように第１矩形生地材を切断し、裏面生地材３の外形になるように第２矩形生地材を切断する。
そして、前記折曲げ工程に代えて、正面生地材２及び背面生地材３の表面２Ａ，３Ａ同士を添わせて中表にするように重ね合わせる重合せ工程を行った後、連結工程で、正面生地材２及び背面生地材３の下端部同士並びに左端部同士及び右端部同士を縫着又は接着するようにすればよい。
【００３５】
以上のような本発明の実施の形態に係るポケットチーフを兼ねた小物入れ１の製造方法によれば、前記二重織り工程で、ジャカード搭載の広巾織機により、正面生地材２及び背面生地材３を一体で上下に繋げた形態として正面生地材２及び背面生地材３になる矩形生地材を、又は正面生地材２及び背面生地材３を別体として正面生地材２になる第１矩形生地材及び背面生地材３になる第２矩形生地材を製造するので、正面生地材２及び背面生地材３になる矩形生地材、又は正面生地材２になる第１矩形生地材及び背面生地材３になる第２矩形生地材に様々な模様を付けながら容易に製造することができる。
また、ジャカード搭載の広巾織機により、二重織り生地である正面生地材２及び背面生地材３になる、前記矩形生地材、又は前記第１矩形生地材及び前記第２矩形生地材を製造するので、別々に製造された独立した２枚の布を縫い合わせて二重にする工程が不要なため、製造コストが増大しない。
さらに、前記二重織り工程後に、前記切断工程、前記折曲げ工程又は前記重合せ工程、及び縫着若しくは接着により袋状にする前記連結工程を行った後、前記裏返し工程を行えば商品が完成するので、製造コストの上昇を抑制できる。
さらにまた、縫着又は接着により袋状にする前記連結工程を行った後、前記裏返し工程を行うので、縫着・接着面が視認されないためデザイン性に優れるとともに、胸ポケットＰに収容するために大きさの制限がある小物入れ１の収納物を収納する空間がより大きくなる。
【００３６】
また、製造された商品は、二重織り生地で製造されているので保形性が高く、強度及び高級感に優れるとともに、正面装飾部Ａを含む正面生地材２及び背面生地材３により上面開口Ｂを有する袋状に形成されているので、収納できる容量が大きくなるとともに、簡素で一体感のある飽きの来ない全体の形態が得られる。
よって、収納できる容量が大きいため、ＩＣカード、携帯端末等の日常よく出し入れをするものや、時計、眼鏡及び指輪等の装身具等を収容する小物入れとして好適に使用できる。
さらに、全体の形態が簡素で一体感のある飽きの来ないものであるため、胸ポケットから取り出した状態で小物入れとして使用する際にも違和感がなく、デザイン性のある商品価値の高い小物入れとして使用できる。
【００３７】
さらにまた、前記二重織り工程において、ジャカード搭載の広巾織機により、前記矩形生地材の背面生地材３になる部分、又は前記第２矩形生地材の二重織り生地の表面３Ａ及び裏面３Ｂを繋げずに袋織りした部分Ｄを設けることが容易であるため、裏ポケット５を形成しても製造コストが増大しない。
また、製造された商品は、裏ポケット５に名刺やＩＣカード程度の小形で薄い収納物を収納し、上面開口Ｂから名刺やＩＣカードよりも大きく厚い収納物（例えば、筆記具やスマートフォン等）を収納できるので、このように前記収納物を仕分けた状態での収納により、前記小形で薄い収納物及び前記大きく厚い収納物が擦れて損傷することがなくなるとともに、名刺やＩＣカード等の取出しが容易になる。
【００３８】
さらに、前記二重織り工程において、ジャカード搭載の広巾織機により、前記矩形生地材の正面生地材２になる部分、又は前記第１矩形生地材の正面装飾部Ａの下側の二重織り生地の表面２Ａ及び裏面２Ｂを繋げずに袋織りした部分Ｅを設けることが容易であるため、左右方向に長い挿入空間６を形成しても製造コストが上昇しない。
さらにまた、前記形状保持部材挿入工程により、前記二重織り工程の後で前記連結工程よりも前に、帯状又は棒状の形状保持部材７を左右方向に長い挿入空間６内に容易に挿入できるので、製造コストが増大しない。
また、製造された商品は、形状保持部材７の形状を変更することにより、正面装飾部Ａの形態を使用者の好みに合わせて立体的にアレンジすることができるので（例えば図５参照）、正面装飾部Ａのデザインのバリエーションが増えて使用価値が高まるとともに見栄えが良くなる。
【符号の説明】
【００３９】
Ａ  正面装飾部
Ｂ  上面開口
Ｃ１，Ｃ２  縫着部
Ｄ，Ｅ  袋織りした部分
Ｆ  ネームタグ
Ｇ  折曲げ箇所
Ｈ  筆記具
Ｉ  ＩＣカード
Ｐ  胸ポケット
１  ポケットチーフを兼ねた小物入れ
２  正面生地材
２Ａ  表面
２Ｂ  裏面
３  背面生地材
３Ａ  表面
３Ｂ  裏面
４  スリット
５  裏ポケット
６  左右方向に長い挿入空間
７  形状保持部材
【図１】
2016036571.tif 000003
【図２】
2016036571.tif 000004
【図３】
2016036571.tif 000005
【図４】
2016036571.tif 000006
【図５】
2016036571.tif 000007
【図６】
2016036571.tif 000008
【図７】
2016036571.tif 000009
【図８】
2016036571.tif 000010
【図９】
2016036571.tif 000011